(57)【要約】【課題】  複数の映像入力部を備えた表示装置において、複数の映像入力部それぞれで受信可能な映像信号の情報を変更する際、画像を表示するまでの時間を短縮する。【解決手段】  映像信号を受信する複数の映像入力手段と、前記複数の映像入力手段の各々に前記映像信号が入力されているか否かを検出する検出手段と、前記表示装置で表示する映像信号を前記複数の映像入力手段から少なくとも一つ選択する選択手段と、前記複数の映像入力手段の各々が受信可能な映像信号の情報を前記外部装置に通知する複数の通知手段と、前記複数の映像入力手段の各々が受信可能な映像信号の情報を変更する制御手段と、を有し、前記制御手段は、前記検出手段が検出した検出結果と前記選択手段により選択された結果の少なくとも一方に基づいて、前記映像信号の情報を変更する際の変更順序を決定し、前記変更順序に従って前記映像信号の情報を変更する。【選択図】  図１
2019191467.tif 000002
【特許請求の範囲】
【請求項１】
外部装置から入力される映像信号に基づいて映像を表示する表示装置であって、
前記映像信号を受信する複数の映像入力手段と、
前記複数の映像入力手段の各々に前記映像信号が入力されているか否かを検出する検出手段と、
前記表示装置で表示する映像信号を前記複数の映像入力手段から少なくとも一つ選択する選択手段と、
前記複数の映像入力手段の各々が受信可能な映像信号の情報を前記外部装置に通知する複数の通知手段と、
前記複数の映像入力手段の各々が受信可能な映像信号の情報を変更する制御手段と、
を有し、
前記制御手段は、前記検出手段が検出した検出結果と前記選択手段により選択された結果の少なくとも一方に基づいて、前記映像信号の情報を変更する際の変更順序を決定し、前記変更順序に従って前記映像信号の情報を変更する
ことを特徴とする表示装置。
【請求項２】
前記通知手段は、前記映像信号の情報を記憶し、前記外部装置による前記映像信号の情報の読み出しが可能な記憶手段を有することを特徴とする請求項１に記載の表示装置。
【請求項３】
ユーザ操作を受け付ける操作部を有し、
前記操作部から前記表示装置が映像信号を表示する際の表示モードの選択を受け付けたとき、前記選択手段は選択された前記表示モードに応じて前記表示装置で表示する映像信号を前記複数の映像入力手段から選択し、
前記制御手段は、前記表示モードが変更されたとき前記映像信号の情報を変更することを特徴とする請求項１または２に記載の表示装置。
【請求項４】
前記表示モードは、１つの映像信号に基づく映像を１つの表示画面として表示する第１表示モードと、複数の映像信号に基づく複数の映像をそれぞれ表示範囲の一部に表示することで１つの表示画面として表示する第２表示モードと、を含むことを特徴とする請求項３に記載の表示装置。
【請求項５】
前記第２表示モードは、２つの映像信号に基づく２つの映像をそれぞれ表示範囲の一部に表示することで１つの表示画面として表示する、または４つの映像信号に基づく４つの映像をそれぞれ表示範囲の一部に表示することで１つの表示画面として表示するモードを含むことを特徴とする請求項４に記載の表示装置。
【請求項６】
ユーザ操作を受け付ける操作部を有し、
前記操作部から受信可能な映像信号の情報の種類の選択を受け付けたとき、前記選択手段は選択された前記種類に応じて前記表示装置で表示する映像信号を前記複数の映像入力手段から選択し、
前記制御手段は、前記表示モードが変更されたとき前記映像信号の情報を変更することを特徴とする請求項１または２に記載の表示装置。
【請求項７】
前記制御手段は、前記検出手段が検出した検出結果と前記選択手段により選択された結果に基づいて、前記映像信号の情報を変更する際の変更順序を決定し、
前記複数の映像入力手段のうち前記選択手段で選択されておりかつ前記検出手段で映像信号が入力されていると検出された映像入力手段を第一優先とし、前記複数の映像入力手段のうち前記選択手段で選択されておりかつ前記信号検出手段で映像信号が入力されていないと検出された映像入力手段を第二優先とし、
前記第一優先とした映像入力手段、前記第二優先として映像入力手段の順となるように変更順序を決定することを特徴とする請求項１乃至６の何れか一項に記載の表示装置。
【請求項８】
前記検出手段は、前記複数の映像入力手段の各々の同期信号を検出し、前記同期信号が検出された場合、前記映像信号が入力されていると検出することを特徴とする請求項１乃至７の何れか一項に記載の表示装置。
【請求項９】
前記検出手段は、前記外部装置と前記映像入力手段を接続するケーブルが接続されているか否かを検出し、前記ケーブルが接続されていると検出した場合、前記映像信号が入力されていると検出することを特徴とする請求項１乃至７の何れか一項に記載の表示装置。
【請求項１０】
前記映像信号の情報はＥＤＩＤであることを特徴とする請求項１乃至９の何れか一項に記載の表示装置。
【請求項１１】
外部装置から入力される映像信号を受信する複数の映像入力手段と、前記複数の映像入力手段の各々が受信可能な映像信号の情報を前記外部装置に通知する複数の通知手段と、を有する表示装置のコンピュータに、
前記複数の映像入力手段の各々に前記映像信号が入力されているか否かを検出させ、
前記表示装置で表示する映像信号を前記複数の映像入力手段から少なくとも一つ選択させ、
前記映像信号が入力されているか否かを検出結果と前記複数の映像入力手段から選択された結果の少なくとも一方に基づいて、前記映像信号の情報を変更する際の変更順序を決定し、前記変更順序に従って前記映像信号の情報を変更する処理と
を行わせることを特徴とする処理プログラム。
【発明の詳細な説明】
【技術分野】
【０００１】
本発明は、複数の映像入力部を有する表示装置に関する。
【背景技術】
【０００２】
高解像度の映像信号の伝送方法として、画面を分割して複数の領域に分け、領域毎に独立した複数の映像信号により伝送する方法が知られている。例えば、３８４０×２１６０画素の映像信号を田の字状の４領域に分割して表示する（田の字４分割入力モード）場合、信号源では各領域に対応する１９２０×１０８０の映像信号を伝送する。表示装置では４つの映像入力部から各領域に対応する映像信号を受信し、対応する領域にそれぞれ映像を表示する。別の分割方式として、４つの縦長の短冊状の領域を水平方向に並べる（短冊４分割入力モード）場合は、各短冊に相当する９６０×２１６０の映像信号を伝送する。表示装置では同様に４つの映像入力部から各領域に対応する映像信号を受信し、対応する領域にそれぞれ映像を表示する。
【０００３】
このように複数の映像入力部から映像信号を受信可能な表示装置では、必然的に対応すべき映像信号フォーマットが多くなる。通常、映像入力部で受信可能な映像信号フォーマットは、ＥＤＩＤに登録し信号源に通知されるが、ＥＤＩＤに登録できる映像信号フォーマットの数には限りがある。例えば、特許文献１には、選択されたモードに応じてＥＤＩＤ情報の設定を変更する表示装置が開示されている。
【先行技術文献】
【特許文献】
【０００４】
【特許文献１】特開２０１３−２１７９７２号公報
【発明の概要】
【発明が解決しようとする課題】
【０００５】
前述のように複数の映像入力部から映像信号を受信可能な表示装置では、複数の映像入力部のそれぞれのＥＤＩＤの設定を変更する必要があり画像を表示するまでに時間がかかることがあった。しかしながら、特許文献１には１つの映像入力部のＥＤＩＤ情報の設定を変更することしか開示がなく、複数の映像入力部のそれぞれのＥＤＩＤの設定を変更することについて言及されていない。
【０００６】
そこで、本発明は、複数の映像入力部を備えた表示装置において、複数の映像入力部それぞれで受信可能な映像信号の情報を変更する際、画像を表示するまでの時間を短縮することが可能な表示装置を提供することである。
【課題を解決するための手段】
【０００７】
上記目的を達成するために、本発明の表示装置は、外部装置から入力される映像信号に基づいて映像を表示する表示装置であって、前記映像信号を受信する複数の映像入力手段と、前記複数の映像入力手段の各々に前記映像信号が入力されているか否かを検出する検出手段と、前記表示装置で表示する映像信号を前記複数の映像入力手段から少なくとも一つ選択する選択手段と、前記複数の映像入力手段の各々が受信可能な映像信号の情報を前記外部装置に通知する複数の通知手段と、前記複数の映像入力手段の各々が受信可能な映像信号の情報を変更する制御手段と、を有し、前記制御手段は、前記検出手段が検出した検出結果と前記選択手段により選択された結果の少なくとも一方に基づいて、前記映像信号の情報を変更する際の変更順序を決定し、前記変更順序に従って前記映像信号の情報を変更することを特徴とする。
【発明の効果】
【０００８】
本発明によれば、複数の映像入力部を備えた表示装置において、複数の映像入力部それぞれで受信可能な映像信号の情報を変更する際、画像を表示するまでの時間を短縮することが可能となる。
【図面の簡単な説明】
【０００９】
【図１】本発明の第１の実施形態における表示装置のブロック構成図。
【図２】本発明の第１の実施形態における通知部Ａ１３１の詳細ブロック構成図。
【図３】本発明の第１の実施形態における表示モード例。
【図４】本発明の第１の実施形態における表示モード選択メニュー構成例。
【図５】本発明の第１の実施形態におけるＥＤＩＤ選択メニュー構成例。
【図６】本発明の第１の実施形態における順序決定部１８０の変更順序決定フロー。
【図７】本発明の第１の実施形態の制御手段の動作例１。
【図８】本発明の第１の実施形態の制御手段の動作例２。
【発明を実施するための形態】
【００１０】
以下、本発明の実施例について図面を参照しながら説明する。本発明は、液晶プロジェクタ、ＤＭＤ（Ｄｉｇｉｔａｌ  Ｍｉｒｒｏｒ  Ｄｅｖｉｃｅ）プロジェクタや液晶ディスプレイ、有機ＥＬディスプレイ等の表示装置に適用可能である。
【実施例１】
【００１１】
図１は、本発明の実施例１である表示装置の構成を示している。表示装置１００は、映像入力部（映像入力手段）１１０、表示部１２０、通知部（通知手段）１３０、信号検出部１４０、操作部１５０、端子選択部１６０、制御部１７０、順序決定部１８０を有する。制御部１７０、順序決定部１８０により制御手段が構成される。
【００１２】
映像入力部１１０は、映像信号を出力するＰＣ等の外部装置（不図示）とケーブルを介して接続するための複数の端子を有する。外部装置は、様々なフォーマット（解像度、リフレッシュレート、色深度など）の映像信号を出力することができる。
【００１３】
本実施例では、ＤＶＩ−Ａ１１１、ＤＶＩ−Ｂ１１２、ＤＶＩ−Ｃ１１３、ＤＶＩ−Ｄ１１４、ＨＤＭＩ−Ｘ１１５、ＨＤＭＩ−Ｙ１１６（ＨＤＭＩは登録商標）の６つの端子を有している。本実施例ではＤＶＩ端子やＨＤＭＩ端子としているが、単なる例示に過ぎず、ＤｉｓｐｌａｙＰｏｒｔ端子やアナログＲＧＢ用のＤｓｕｂ−１５端子（ＶＧＡ端子）であってもよい。また、２つ以上の映像入力端子を有していれば本発明の効果を得ることができる。
【００１４】
表示部１２０は、入力された映像信号に基づいた映像を出力する表示手段であり、例えば液晶ディスプレイである。後述する端子選択部１６０により選択された映像入力部１１０の端子と映像の配置に従って、単一の端子からの入力された映像信号または複数の端子から入力された各入力映像信号を１つの映像に結合し、それを光映像に変換して出力する。本実施例での表示部１２０は、水平解像度３８４０及び垂直解像度２１６０の画素を持つものとする。上記解像度は、例示的な値であり他の値であってもよい。
【００１５】
また、説明を簡単にするため、結合して表示する映像信号が入力される映像入力部（端子）と配置の組み合わせを表示モードとして定義し、例示的な表示モードを図３に示す。図３を参照して本実施例の表示モードについて説明する。表示モードは複数有しており、大別して、シングル、２分割、４分割があり、それぞれの持つ表示モードを以下に説明する。
【００１６】
シングルは、単一の映像入力部（端子）からの映像信号を１つの表示画面として表示するモード（第１表示モード）で、以下の６種がある。
【００１７】
・ＤＶＩ−Ａモード：ＤＶＩ−Ａ１１１の映像信号を単独で中央または全体に配置（表示）する。
・ＤＶＩ−Ｂモード：ＤＶＩ−Ｂ１１２の映像信号を単独で中央または全体に配置（表示）する。
・ＤＶＩ−Ｃモード：ＤＶＩ−Ｃ１１３の映像信号を単独で中央または全体に配置（表示）する。
・ＤＶＩ−Ｄモード：ＤＶＩ−Ｄ１１４の映像信号を単独で中央または全体に配置（表示）する。
・ＨＤＭＩ−Ｘモード：ＨＤＭＩ−Ｘ１１５の映像信号を単独で中央または全体に配置（表示）する。
・ＨＤＭＩ−Ｙモード：ＨＤＭＩ−Ｙ１１６の映像信号を単独で中央または全体に配置（表示）する。
【００１８】
２分割は、２つの映像入力部（端子）からの映像信号をそれぞれ表示範囲の一部である左右に表示することで１つの表示画面として表示するモード（第２表示モード）で、以下の３種がある。
【００１９】
・ＤＶＩ−ＡＣ（左右）モード：ＤＶＩ−Ａ１１１の映像信号を左側映像３０１、ＤＶＩ−Ｃ１１３の映像信号を右側映像３０２として配置（表示）する。
・ＤＶＩ−ＢＤ（左右）モード：ＤＶＩ−Ｂ１１２の映像信号を左側映像３０１、ＤＶＩ−Ｄ１１４の映像信号を右側映像３０２として配置（表示）する。
・ＨＤＭＩ−ＸＹ（左右）モード：ＨＤＭＩ−Ｘ１１５の映像信号を左側映像３０１、ＨＤＭＩ−Ｙ１１６の映像信号を右側映像３０２として配置（表示）する。
【００２０】
４分割は、４つの映像入力部（端子）からの映像信号をそれぞれ表示範囲の一部である短冊型または田の字型に表示することで１つの画面として表示するモード（第２表示モード）で、以下の２種がある。
【００２１】
・ＤＶＩ−ＡＢＣＤ（短冊）モード：ＤＶＩ−Ａ１１１の映像信号を左端映像３０３、ＤＶＩ−Ｂ１１２の映像信号を映像３０４、ＤＶＩ−Ｃ１１３の映像信号を映像３０５、ＤＶＩ−Ｄ１１４の映像信号を右端映像３０６として配置（表示）する。
・ＤＶＩ−ＡＢＣＤ（田字）モード：ＤＶＩ−Ａ１１１の映像信号を左上映像３０７、ＤＶＩ−Ｂ１１２の映像信号を左下映像３０８、ＤＶＩ−Ｃ１１３の映像信号を右上映像３０９、ＤＶＩ−Ｄ１１４の映像信号を右下映像３１０として配置（表示）する。
【００２２】
これらの表示モードは例示的なものであり本発明を制限するものではなく、例えば３分割の表示モード等が存在してもよい。
【００２３】
通知部１３０は、本実施例では映像入力部１１０が備える６つの映像入力部１１１〜１１６のそれぞれが、通知Ａ１３１、通知部Ｂ１３２、通知部Ｃ１３３、通知部Ｄ１３４、通知部Ｘ１３５、通知部Ｙ１３６と接続されている。
【００２４】
図２は、通知部Ａ１３１の例示的構成を示したもので、通知部Ａは、記憶手段としての記憶部Ａ１３１１とＨＰＤ制御部Ａ１３１２を有する。
【００２５】
記憶部Ａ１３１１は、ＥＥＰＲＯＭ等を用いたＥＤＩＤ（Ｅｘｔｅｎｄｅｄ  Ｄｉｓｐｌａｙ  Ｉｄｅｎｔｉｆｉｃａｔｉｏｎ  Ｄａｔａ）用のメモリである。映像入力部Ａ１１１から受信可能な映像信号の情報（解像度、リフレッシュレート、色深度などのフォーマット情報）を記憶している。また、記憶部Ａ１３１１は、映像入力部Ａ１１１とＤＤＣ（Ｄｉｓｐｌａｙ  Ｄａｔａ  Ｃｈａｎｎｅｌ）接続されており、表示装置１００にケーブルを介して接続された外部装置は、ＤＤＣにより記憶部Ａ１３１１に記憶された映像信号の情報を取得できる。さらに、記憶部Ａ１３１１は、後述の制御部１７０により、受信可能な映像信号の情報の変更が可能である。
【００２６】
ＨＰＤ制御部Ａ１３１２は、映像入力部Ａ１１１とＨｏｔ  Ｐｌｕｇ  Ｄｅｔｅｃｔ線で接続されており、後述するＨＰＤリセットサイクルの実行制御を行う。Ｈｏｔ  Ｐｌｕｇ  Ｄｅｔｅｃｔ線は、外部装置が表示装置１００と接続された事を認識するための信号線である。
【００２７】
通常、表示装置１００はＨｏｔ  Ｐｌｕｇ  Ｄｅｔｅｃｔ線に５Ｖを出力しているため、外部装置は接続されたケーブルを介して５Ｖを検出した場合、表示装置１００が接続された事を認識できる。その後、外部装置は前述したようにＤＤＣにより表示装置１００の記憶部に記憶されている映像信号の情報を取得し、その映像信号の情報に対応した映像信号の出力処理を開始する。
【００２８】
従って、表示装置１００が自らの都合で記憶部の変更を行った際は、Ｈｏｔ  Ｐｌｕｇ  Ｄｅｔｅｃｔ線を一度０Ｖにし、その後、５Ｖに戻す事（ＨＰＤリセットサイクル）により、外部装置に変更した映像信号の情報を取得させる事が可能となる。一方で、ＨＰＤリセットサイクルに付随し、外部装置はＨｏｔ  Ｐｌｕｇ  Ｄｅｔｅｃｔ線が一度０Ｖになる事で映像出力を停止するため、再度外部装置から映像信号が出力されるまでにはある程度の時間が必要となる。
【００２９】
本実施例では、通知部Ｂ１３２、通知部Ｃ１３３、通知部Ｄ１３４、通知部Ｘ１３５、通知部Ｙ１３６も通知部Ａ１３１と同等の構成を有するものとする。また、説明を簡単にするため、各通知部のそれぞれの記憶部と後述する制御部１７０は、単一のＩ２Ｃ（Ｉｎｔｅｒ−Ｉｎｔｅｇｒａｔｅｄ  Ｃｉｒｃｕｉｔ）バスで接続されているものとする。従って、複数の記憶部の変更が必要になった場合は、順次変更していく事が必要となる。
【００３０】
信号検出部１４０（信号検出手段）は、映像入力部１１０が有する各端子にケーブルを介して接続された外部装置からの映像信号が入力されているか否かの判定を行う。映像信号が入力されているか否かの判定は、例えば垂直同期信号、水平同期信号などの同期信号やクロック信号、データ信号を検出した場合、映像信号が入力されていると判定することができる。
【００３１】
本実施例では、それぞれの映像入力部１１１〜１１６のそれぞれが、信号検出部Ａ１４１、信号検出部Ｂ１４２、信号検出部Ｃ１４３、信号検出部Ｄ１４４、信号検出部Ｘ１４５、信号検出部Ｙ１４６と接続されている。本実施例では各映像入力部に信号検出部を専用の信号検出部を接続したが、各映像入力部の数よりも少ない信号検出部を備え、時分割信号検出部が接続する映像入力部を切り替える構成としてもよい。
【００３２】
また、本実施例のように、映像信号が入力されているか否かを判定する事が好ましいが、映像入力部１１１〜１１６の端子にケーブルが接続されているか否かを判定してもよい。例えば、ＨＤＭＩでは＋５Ｖ  Ｐｏｗｅｒ線が定義されており、外部装置は＋５Ｖを出力するので、外部装置と接続されたケーブルを介してその＋５Ｖを検出した場合、映像信号が入力されていると判定してもよい。
【００３３】
操作部１５０は、表示装置に備えられた操作ボタン（不図示）やリモコン（不図示）等によるユーザからの操作に応じて、後述する情報変更要求や表示モード選択要求を受け付ける。
【００３４】
端子選択部１６０（選択手段）は、操作部１５０により受け付けた表示モード選択要求に従い表示モードを選択し、表示部１２０に通知すると共に後述する順序決定部１８０からの選択表示モードの取得要求に応答する。
【００３５】
操作部１５０から表示モード選択を行う旨のユーザ操作を受け付けた場合、表示部１２０が備えるＯＳＤ（Ｏｎ  Ｓｃｒｅｅｎ  Ｄｉｓｐｌａｙ）機能により、図４に示すようなＯＳＤメニューを表示できるのが好ましい。
【００３６】
図４は、図３で例示された各表示モードの選択メニューである。表示モード選択メニュー４０１は、分割数を示す見出し４０２〜４０４と、各表示モード選択肢４１１〜４２１と、選択カーソル４０５を有する。
【００３７】
分割数を示す見出し「シングル４０２」に属する表示モードは、ＤＶＩ−Ａ４１１、ＤＶＩ−Ｂ４１２、ＤＶＩ−Ｃ４１３、ＤＶＩ−Ｄ４１４、ＨＤＭＩ−Ｘ４１５、ＨＤＭＩ−Ｙ４１６の６種ある。それぞれ、図３の表示モード、ＤＶＩ−Ａモード、ＤＶＩ−Ｂモード、ＤＶＩ−Ｃモード、ＤＶＩ−Ｄモード、ＨＤＭＩ−Ｘモード、ＨＤＭＩ−Ｙモードに対応する選択肢である。
【００３８】
分割数を示す見出し「２分割４０３」に属する表示モードは、ＤＶＩ−ＡＣ（左右）４１７、ＤＶＩ−ＢＤ（左右）４１８、ＤＶＩ−ＡＣ（左右）４１９の３種ある。それぞれ、図３の表示モード、ＤＶＩ−ＡＣ（左右）モード、ＤＶＩ−ＢＤ（左右）モード、ＨＤＭＩ−ＸＹ（左右）モードに対応する選択肢である。
【００３９】
分割数を示す見出し「４分割４０４」に属する表示モードは、ＤＶＩ−ＡＢＣＤ（短冊）４２０、ＤＶＩ−ＡＢＣＤ（田字）４２１の２種ある。それぞれ、図３の表示モード、ＤＶＩ−ＡＢＣＤ（短冊）モード、ＤＶＩ−ＡＢＣＤ（田字）モードに対応する選択肢である。
【００４０】
表示モード選択メニュー表示中に、操作ボタンまたはリモコンの上ボタン（不図示）を押すと上の行の選択肢に、下ボタン（不図示）を押すと下の行の選択肢に移動する。また、決定ボタン（不図示）を押すと選択カーソル４０５がある行の選択肢が端子選択部１６０に通知される。端子選択部１６０は通知された情報により表示モードを選択する。表示モード選択メニュー４０１は、単なる例示であり、例えば分割数を表示せず表示モードだけを表示するなど、本発明はこれに制限されるものではない。
【００４１】
制御部１７０は、操作部１５０からの情報変更要求に従い、選択された情報に変更するための制御を行う。映像信号の情報の変更は、表示モードの選択に連動して切り替えてもよい。また、操作部１５０から情報変更要求を行う旨のユーザ操作を受け付けた場合、表示部１２０が備えるＯＳＤ機能により、図５に示すようなＯＳＤメニューを表示してもよい。
【００４２】
図５は、図３で例示された情報変更要求を受け付けた際に表示するＯＳＤメニューの一例であり、以後、ＥＤＩＤ選択メニューと呼ぶ。本実施例では情報の通知をＥＤＩＤで行うものとしているが、ＥＤＩＤ以外の手段を用いる場合も同様の考え方が適用可能である。
【００４３】
ＥＤＩＤ選択メニュー５０１は、ＥＤＩＤ選択カーソル５０２と、各ＥＤＩＤ選択肢５１１〜５１５を有する。ＥＤＩＤ選択メニュー表示中に、操作ボタンまたはリモコンの上ボタンを押すと上の行の選択肢に、下ボタンを押すと下の行の選択肢に移動し、決定ボタンを押すと選択カーソル５０２がある行の選択肢が端子選択部１６０に通知される。
【００４４】
各ＥＤＩＤ選択肢について説明する。本実施例では、ＥＤＩＤに登録する受信可能な映像信号の情報の種類に着目する。
【００４５】
標準５１１は、各表示モードでの代表的な映像信号の情報が登録されている。標準５１１が選択された場合、端子選択部１６０は映像入力部（端子）の構成端子として、ＤＶＩ−Ａ４１１、ＤＶＩ−Ｂ４１２、ＤＶＩ−Ｃ４１３、ＤＶＩ−Ｄ４１４、ＨＤＭＩ−Ｘ４１５、ＨＤＭＩ−Ｙ４１６を選択する。
【００４６】
シングル５１２は、２分割や４分割に好適な映像信号の情報は含まずに、シングルに好適な信号フォーマットが登録されている。シングル５１２が選択された場合、端子選択部１６０は映像入力部（端子）の構成端子として、ＤＶＩ−Ａ４１１、ＤＶＩ−Ｂ４１２、ＤＶＩ−Ｃ４１３、ＤＶＩ−Ｄ４１４、ＨＤＭＩ−Ｘ４１５、ＨＤＭＩ−Ｙ４１６を選択する。
【００４７】
２分割５１３は、シングルや４分割に好適な映像信号の情報は含まずに、２分割に好適な映像信号の情報が登録されている。２分割５１３が選択された場合、端子選択部１６０は映像入力部（端子）の構成端子として、ＤＶＩ−Ａ４１１、ＤＶＩ−Ｃ４１３、ＤＶＩ−Ｂ４１２、ＤＶＩ−Ｄ４１４、ＨＤＭＩ−Ｘ４１５、ＨＤＭＩ−Ｙ４１６を選択する。
【００４８】
４分割（短冊）５１４は、シングルや２分割や４分割（田字）に好適な映像信号の情報は含まずに、４分割（短冊）に好適な映像信号の情報が登録されている。４分割（短冊）５１４が選択された場合、端子選択部１６０は映像入力部（端子）の構成端子として、ＤＶＩ−Ａ４１１、ＤＶＩ−Ｂ４１２、ＤＶＩ−Ｃ４１３、ＤＶＩ−Ｄ４１４を選択する。
【００４９】
４分割（田字）５１５は、シングルや２分割や４分割（短冊）に好適な映像信号の情報は含まずに、４分割（田字）に好適な信号フォーマットが登録されている。４分割（田字）５１５が選択された場合、端子選択部１６０は映像入力部（端子）の構成端子として、ＤＶＩ−Ａ４１１、ＤＶＩ−Ｂ４１２、ＤＶＩ−Ｃ４１３、ＤＶＩ−Ｄ４１４を選択する。
【００５０】
映像信号の情報の変更は、上述のように複数の映像入力部のそれぞれの記憶部を変更する必要があるが、どのように変更していくかは後述する。
【００５１】
順序決定部１８０は、制御部１７０で複数の記憶部の受信可能な映像信号の情報を変更する際に、どの記憶部から変更するかの順序の決定を行う。変更する順序は、端子選択部１６０が選択する表示モードと信号検出部１４０の各端子の映像信号が入力されているか否かの検出結果から、後述の順序決定フローにより決定する。
【００５２】
次に、制御手段である順序決定部１８０が行う順序決定フローについて、図６に示したフローチャートを用いて説明する。以下の説明において、「Ｓ」はステップ（処理）を意味する。ＣＰＵ等のコンピュータにより構成される順序決定部１８０は、コンピュータプログラムとしての順序決定処理プログラムに従って本処理を実行する。本処理は、前述の表示モードがシングルから２分割、２分割から４分割など、現在の表示モードと異なる表示モードへ変更されたとき、またはＥＤＩＤ選択肢の何れかが選択されたとき、本処理を実行する。
【００５３】
Ｓ６０１は、パラメータの定義（初期化）を行っている。第一優先端子Ｐａ［０］〜Ｐａ［５］変数は、要素数６の配列で、第一優先に割り振られた映像入力部（端子）の識別子をインデックス０から格納していく。同様に、第二優先端子Ｐｂ［０］〜Ｐｂ［５］及び非優先端子Ｐｃ［０］〜Ｐｃ［５］変数は、それぞれ、第二優先及び非優先に割り振られた映像入力部（端子）の識別子をインデックス０から格納していく。変更順序Ｐ［０］〜Ｐ［５］は、最終的に決定された変更順序をインデックス０から順に格納していく。
【００５４】
各変数の要素数６の配列で構成されているのは、対象とする映像入力部（端子）が本実施例では６つであるためで、対象端子が増えれば配列要素も増える事となる。変数ｉａ、ｉｂ、ｉｃ、ｉはそれぞれ配列Ｐａ［］、Ｐｂ［］、Ｐｃ［］、Ｐ［］のインデックスを記憶しておくための変数である。また、映像入力部（端子）の識別子は、数値、文字列などで表され、各映像入力部で固有であればよい。パラメータの定義を完了するとＳ６０２へ進む。
【００５５】
Ｓ６０２〜Ｓ６０８は、各映像入力部（端子）がどの優先度になるかの判断処理を行うためのループを構成している。本実施例では、ＤＶＩ−Ａ１１１、ＤＶＩ−Ｂ１１２、ＤＶＩ−Ｃ１１３、ＤＶＩ−Ｄ１１４、ＨＤＭＩ−Ｘ１１５、ＨＤＭＩ−Ｙ１１６の順に処理を行うものとするが、処理を行う順序は他の順序であってもよい。
【００５６】
Ｓ６０２は、ループの戻り先でありすぐにＳ６０３に進む。
【００５７】
Ｓ６０３は、対象端子が、端子選択部１６０で選択された表示モードまたはＥＤＩＤ選択肢の構成端子であるか否かを判定し、構成端子である場合Ｓ６０５へ、構成端子ではない場合はＳ６０４へ進む。例えば、表示モードがＤＶＩ−ＢＤ（左右）に変更された場合は、ＤＶＩ−ＢとＤＶＩ−ＤがＹでＳ６０５へ、他の４端子は構成端子ではないためＳ６０４へ進む。また例えば、ＥＤＩＤ選択肢が４分割（田字）５１５に変更された場合は、ＤＶＩ−Ａ４１１、ＤＶＩ−Ｂ４１２、ＤＶＩ−Ｃ４１３、ＤＶＩ−Ｄ４１４がＹでＳ６０５へ、他の２端子は構成端子ではないためＳ６０４へ進む。
【００５８】
Ｓ６０４は、非優先端子と判定された事となり対象端子の識別子をＰｃ［ｉｃ］に格納し、さらにｉｃをインクリメントし、Ｓ６０８へ進む。
【００５９】
Ｓ６０５は、対象端子が、信号検出部１４０で映像信号が入力されているか否かを判定し、映像信号が入力されている場合はＳ６０６へ、映像信号が入力されていない場合はＳ６０７へ進む。
【００６０】
Ｓ６０６は、第一優先端子と判定された事となり対象端子の識別子をＰａ［ｉａ］に格納し、さらにｉａをインクリメントし、Ｓ６０８へ進む。
【００６１】
Ｓ６０７は、第二優先端子と判定された事となり対象端子の識別子をＰｂ［ｉｂ］に格納し、さらにｉｂをインクリメントし、Ｓ６０８へ進む。
【００６２】
Ｓ６０８では、全端子が終了したか否かの判定を行う。全端子が終了していない場合は対象端子を変えＳ６０２へ戻る。全端子が終了した場合は、Ｓ６０９へ進む。本実施例では端子数が６であるため、ｉａ＋ｉｂ＋ｉｃ＝６となれば、全端子が終了したと判定できる。
【００６３】
Ｓ６０９〜Ｓ６１４は、第一優先端子、第二優先端子、非優先端子の順で変更順序配列Ｐ［］に端子識別子をコピーしていく処理を実行している。
【００６４】
Ｓ６０９は、ｉがｉａより小さければ第一優先端子の変更順序配列へのコピーが終了していないためＳ６１０へ、そうでなければＳ６１１へ進む。
【００６５】
Ｓ６１０は、Ｐａ［ｉ］をＰ［ｉ］に格納し、ｉをインクリメントし、Ｓ６０９へ戻る。
【００６６】
Ｓ６１１は、（ｉ−ｉａ）がｉｂより小さければ第二優先端子の変更順序配列へのコピーが終了していないためＳ６１２へ、そうでなければＳ６１３へ進む。
【００６７】
Ｓ６１２は、Ｐｂ［ｉ−ｉａ］をＰ［ｉ］に格納し、ｉをインクリメントし、Ｓ６１１へ戻る。
【００６８】
Ｓ６１３は、（ｉ−ｉａ−ｉｂ）がｉｃより小さければ非優先端子の変更順序配列へのコピーが終了していないためＳ６１４へ進み、そうでなければ順序決定処理を終了する。
【００６９】
Ｓ６１４は、Ｐｃ［ｉ−ｉａ−ｉｂ］をＰ［ｉ］に格納し、ｉをインクリメントし、Ｓ６１３へ戻る。
【００７０】
順序決定部１８０はこのように処理を行う事で、Ｐ［０］〜Ｐ［５］に、本実施例の全６端子の識別子が変更を優先させたい順に格納する事ができる。
【００７１】
以下に、制御部１７０の動作について、２つの例で説明する。
【００７２】
第一の例を、図７を用いて説明する。図７（Ａ）は、選択された表示モードに応じて端子選択部１６０で選択された映像入力部（端子）を、分かり易く示すために図４の表示モード選択メニューの選択状態で表わしている。ここでは、ＨＤＭＩ−ＸＹ（左右）が選択されている。図７（Ｂ）は、信号検出部１４０で各端子からの映像信号の入力の有無の判定結果であり、ここでは全端子で有となっている。
【００７３】
これらの条件で図６の順序決定フローを通すと、変更順序は図７（Ｃ）の通りとなる。図７（Ｄ）では、図７（Ｃ）の変更順序で記憶部を変更する際の制御部１７０の変更シーケンスを表わしたものである。横軸を時間とし、縦軸に制御対象を並べ、各制御のタイミングを表している。符合７０１〜７０６は、それぞれ、通知部Ａ１３１〜Ｙ１３６のＨｏｔ  Ｐｌｕｇ  Ｄｅｔｅｃｔ線の状態を表わしている。符合７１１〜７１６は、それぞれ、通知部Ａ１３１〜Ｙ１３６のそれぞれの記憶部の変更処理が実行されているタイミングを表わしている。
【００７４】
変更シーケンスについて説明する。
【００７５】
Ｔ７０１〜Ｔ７０３で変更順序１のＨＤＭＩ−Ｘ１１５に接続されている記憶部Ｘ１３５１の映像信号の情報の変更を行っている。Ｔ７０１で通知部Ｘ１３５を通じてＨｏｔ  Ｐｌｕｇ  Ｄｅｔｅｃｔ線を０Ｖにし、Ｔ７０２で記憶部Ｘ１３５１の変更処理を実施し、その後Ｔ７０３でＨｏｔ  Ｐｌｕｇ  Ｄｅｔｅｃｔ線を５Ｖに戻している。
【００７６】
以降同様に、Ｔ７０４〜Ｔ７０６でＨＤＭＩ−Ｙ１１６、Ｔ７０７〜Ｔ７０９でＤＶＩ−Ａ１１１、Ｔ７１０〜Ｔ７１２でＤＶＩ−Ｂ１１２、Ｔ７１３〜Ｔ７１５でＤＶＩ−Ｃ１１３、Ｔ７１６〜Ｔ７１８でＤＶＩ−Ｄ１１４の順で変更する。
【００７７】
このように制御する事で、選択中のＨＤＭＩ−Ｘ１１５とＨＤＭＩ−Ｙ１１６のそれぞれの記憶部の変更が優先して実施されるため、外部装置の出力する映像信号の変更処理も早く実行される。従って表示装置１００が入力される映像信号を表示するまでの時間を短縮することが可能となる。
【００７８】
第二の例を、図８を用いて説明する。図８（Ａ）は、選択されたＥＤＩＤ選択肢に応じて端子選択部１６０で選択された映像入力部（端子）をＥＤＩＤ選択で表わしたものであり、ここでは、４分割（田字）が選択されている。図８（Ｂ）は、信号検出部１４０で各端子からの映像信号の入力の有無の判定結果であり、ここではＤＶＩ−Ｂのみ無で、他の端子は有となっている。
【００７９】
これらの条件で図６の順序決定フローを通すと、変更順序は図８（Ｃ）の通りとなる。図８（Ｄ）では、図７（Ｄ）同様に、図８（Ｃ）の変更順序で記憶部を変更する際の制御部１７０の変更シーケンスを表わしたものである。符合８０１〜８０６は、それぞれ、通知部Ａ１３１〜Ｙ１３６のＨｏｔ  Ｐｌｕｇ  Ｄｅｔｅｃｔ線の状態を表わしている。符合８１１〜８１６は、それぞれ、通知部Ａ１３１〜Ｙ１３６での記憶部の変更処理が実行されているタイミングを表わしている。
【００８０】
変更シーケンスについて説明する。
【００８１】
Ｔ８０１〜Ｔ８０３で変更順序１のＤＶＩ−Ａ１１１に接続されている記憶部Ａ１３１１の映像信号の情報の変更を行っている。Ｔ８０１で通知部Ａ１３１を通じてＨｏｔ  Ｐｌｕｇ  Ｄｅｔｅｃｔ線を０Ｖにし、Ｔ８０２で記憶部Ａ１３１１の変更処理を実施し、その後Ｔ８０３でＨｏｔ  Ｐｌｕｇ  Ｄｅｔｅｃｔ線を５Ｖに戻している。
【００８２】
以降同様に、Ｔ８０４〜Ｔ８０６でＤＶＩ−Ｃ１１３、Ｔ８０７〜Ｔ８０９でＤＶＩ−Ｄ１１４、Ｔ８１０〜Ｔ８１２でＤＶＩ−Ｂ１１２、Ｔ８１３〜Ｔ８１５でＨＤＭＩ−Ｘ１１５、Ｔ８１６〜Ｔ８１８でＨＤＭＩ−Ｙ１１６の順で変更する。
【００８３】
このように制御する事で、選択中でかつ表示中のＤＶＩ−Ａ１１１、ＤＶＩ−Ｃ１１３、ＤＶＩ−Ｄ１１４のそれぞれの記憶部の変更が優先して実施される。そのため、外部装置の出力する映像信号の変更処理も早く実行され、結果として表示装置１００が入力される映像信号を表示するまでの時間を短縮することが可能となる。
【００８４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８５】
以上、本発明の好ましい実施形態について説明したが、本発明はこれらの実施形態に限定されず、その要旨の範囲内で種々の変形及び変更が可能である。
【００８６】
本実施例では、映像入力手段の各々に映像信号が入力されているか否かの検出結果と端子選択部で選択された結果により記憶部の変更順序を決定していたが、少なくとも一方の結果に基づいて変更順序を決定してもよい。つまり、映像入力手段の各々に映像信号が入力されているか否かの検出結果に基づいて変更順序を決定する場合は、図６のＳ６０３とＳ６０４を除いたフローにすればよい。また、端子選択部で選択された結果に基づいて変更順序を決定する場合は、図６のＳ６０５とＳ６０７を除いたフローにすればよい。
【００８７】
また、本実施例では変更順序を決定し全ての記憶部を変更したが、非優先に割り振られた映像入力部の記憶部は変更しないようにしてもよい。
【００８８】
また、配置された映像入力部（端子）に映像信号が入力されていない場合は、「無信号」等の情報画面を表示部１２０が備えるＯＳＤ（Ｏｎ  Ｓｃｒｅｅｎ  Ｄｉｓｐｌａｙ）機能により表示してもよい。
【符号の説明】
【００８９】
１１０  映像入力部（映像入力手段）
１３０  通知部（通知手段）
１４０  信号検出部（検出手段）
１６０  端子選択部（選択手段）
１７０  制御部（制御手段）
１８０  順序決定部（制御手段）
【図１】
2019191467.tif 000003
【図２】
2019191467.tif 000004
【図３】
2019191467.tif 000005
【図４】
2019191467.tif 000006
【図５】
2019191467.tif 000007
【図６】
2019191467.tif 000008
【図７】
2019191467.tif 000009
【図８】
2019191467.tif 000010